(57)【要約】【課題】占い用のデータを利用者が入力する手間を不要とし、かつ占いの精度を向上させる。【解決手段】注文者１は携帯端末１０を占い装置３０に接続する。占い装置３０は携帯端末１０の電子データを読み取って分析し、注文者１がよく使う言葉やよく遭遇する言葉の頻度や携帯端末１０の利用頻度を測定する。占い装置３０は占いの概略と携帯端末１０の簡単な利用頻度をグラフにして表示する。注文者１が確定ボタンを押すと、占い装置３０は複数の占い雛型文から一つを選択して注文者１が普段よく使う言葉やよく遭遇する言葉を挿入し、注文者１固有の性格を予測した占い文を作成する。占い装置３０は占い文と分析結果のグラフ表示を占い結果として印刷出力する。出力後、占い装置３０は電子データと電子的分析結果を完全削除して、注文者１のプライバシーが外部に漏れないようにする。【選択図】      図１
2004267252.tif 000002
【特許請求の範囲】
【請求項１】
端末装置に保存された電子データを読み取る手段と、前記電子データから前記端末装置使用者の性格を分析する手段と、分析結果を織り込んだ占い文を作成する手段とを備えたことを特徴とする占いシステム。
【請求項２】
端末装置に保存された電子データを読み取る手段と、読み取った前記電子データに含まれる言葉の頻度をリスト出力する手段と、前記端末装置の使用者の性格を前記リストから分析する手段と、分析結果を織り込んだ占い文を出力する手段とを備えたことを特徴とする占い装置。
【請求項３】
前記端末装置から読み取った前記電子データと前記分析結果とを前記占い文出力後に削除することを特徴とする請求項２記載の占い装置。
【請求項４】
端末装置に保存された電子データを読み取る手段と、読み取った前記電子データに含まれる言葉の頻度をリスト出力する手段と、複数の占い雛形文から選択した雛形文に前記電子データに含まれる頻度の高い言葉を挿入した占い文を出力する手段とを備えたことを特徴とする占い装置。
【請求項５】
前記電子データから前記端末装置の利用頻度を測定してグラフ表示する手段を備えたことを特徴とする請求項２、３または４記載の占い装置。
【請求項６】
第１の端末装置に保存された第１の電子データと第２の端末装置に保存された第２の電子データとを読み取る手段と、前記第１の電子データと前記第２の電子データとから前記第１の端末装置を使用する第１の使用者と前記第２の端末装置を使用する第２の使用者との相性を分析する手段と、分析結果を織り込んだ占い文を作成する手段とを備えたことを特徴とする占いシステム。
【請求項７】
第１の端末装置に保存された第１の電子データを読み取る手段と、読み取った前記第１の電子データに含まれる言葉の頻度をリスト出力する手段と、第２の端末装置に保存された第２の電子データを読み取る手段と、読み取った前記第２の電子データに含まれる言葉の頻度をリスト出力する手段と、前記第１の電子データと前記第２の電子データとから前記第１の端末装置を使用する第１の使用者と前記第２の端末装置を使用する第２の使用者との相性を分析する手段と、分析結果を織り込んだ占い文を出力する手段とを備えたことを特徴とする占い装置。
【請求項８】
前記第１の端末装置から読み取った前記第１の電子データと前記第２の端末装置から読み取った前記第２の電子データと前記分析結果とを前記占い文出力後に削除することを特徴とする請求項７記載の占い装置。
【請求項９】
第１の端末装置に保存された第１の電子データを読み取る手段と、読み取った前記第１の電子データに含まれる言葉の頻度をリスト出力する手段と、第２の端末装置に保存された第２の電子データを読み取る手段と、読み取った前記第２の電子データに含まれる言葉の頻度をリスト出力する手段と、複数の占い雛形文から選択した雛形文に前記第１の電子データまたは前記第２の電子データに含まれる頻度の高い言葉を挿入した占い文を出力する手段とを備えたことを特徴とする占い装置。
【請求項１０】
前記第１の端末装置の利用頻度と前記第２の端末装置の利用頻度とを測定してグラフ表示する手段を備えたことを特徴とする請求項７、８または９記載の占い装置。
【請求項１１】
端末装置に保存された電子データを読み取るステップと、前記電子データから前記端末装置使用者の性格を分析するステップと、分析結果を織り込んだ占い文を作成するステップとを備えたことを特徴とする占い方法。
【請求項１２】
端末装置に保存された電子データを読み取るステップと、読み取った前記電子データに含まれる言葉の頻度をリスト出力するステップと、前記端末装置の使用者の性格を前記リストから分析するステップと、分析結果を織り込んだ占い文を出力するステップとを備えたことを特徴とする占い方法。
【請求項１３】
端末装置に保存された電子データを読み取るステップと、読み取った前記電子データに含まれる言葉の頻度をリスト出力するステップと、複数の占い雛形文から選択した雛形文に前記電子データに含まれる頻度の高い言葉を挿入した占い文を出力するステップとを備えたことを特徴とする占い方法。
【請求項１４】
第１の端末装置に保存された第１の電子データと第２の端末装置に保存された第２の電子データとを読み取るステップと、前記第１の電子データと前記第２の電子データとから前記第１の端末装置を使用する第１の使用者と前記第２の端末装置を使用する第２の使用者との相性を分析するステップと、分析結果を織り込んだ占い文を作成するステップとを備えたことを特徴とする占い方法。
【請求項１５】
第１の端末装置に保存された第１の電子データを読み取るステップと、読み取った前記第１の電子データに含まれる言葉の頻度をリスト出力するステップと、第２の端末装置に保存された第２の電子データを読み取るステップと、読み取った前記第２の電子データに含まれる言葉の頻度をリスト出力するステップと、前記第１の電子データと前記第２の電子データとから前記第１の端末装置を使用する第１の使用者と前記第２の端末装置を使用する第２の使用者との相性を分析するステップと、分析結果を織り込んだ占い文を出力するステップとを備えたことを特徴とする占い方法。
【請求項１６】
第１の端末装置に保存された第１の電子データを読み取るステップと、読み取った前記第１の電子データに含まれる言葉の頻度をリスト出力するステップと、第２の端末装置に保存された第２の電子データを読み取るステップと、読み取った前記第２の電子データに含まれる言葉の頻度をリスト出力するステップと、複数の占い雛形文から選択した雛形文に前記第１の電子データまたは前記第２の電子データに含まれる頻度の高い言葉を挿入した占い文を出力するステップとを備えたことを特徴とする占い方法。
【請求項１７】
請求項１１から１６のいずれか１項に記載の処理をコンピュータに実行させるためのプログラム。
【発明の詳細な説明】
【０００１】
【発明の属する技術分野】
本発明は占いシステム、占い装置、占い方法および占いプログラムに関し、特に携帯電話機等、端末装置のデータを取り込んで占いを提供する占いシステム、占い装置、占い方法および占いプログラムに関する。
【０００２】
【従来の技術】
従来より、携帯電話機等のユーザ端末を使用する占いシステムが提供されている。
【０００３】
特許文献１に開示された占いシステムは、占いを希望する利用者の占いに必要な情報を入力する入力手段と、入力手段により入力された利用者の占いに必要な情報に基づいて、複数種類の占い結果を算出処理する占い処理手段と、占い処理手段により得られた各占い結果を同一基準で規格化して利用者に提示する提示手段とを備えている。この占いシステムでは、占いに必要な情報は、利用者の氏名、性別、生年月日、出身地、血液型等であり、利用者がユーザ端末から入力する。
【０００４】
特許文献２に開示された占いシステムは、携帯電話機としての第１の通信手段と、短距離無線通信仕様による第２の通信手段が具備されている携帯通信端末において、第２の通信手段を介して、通信相手の携帯通信端末から通信相手の個人データを取得する個人データ取得手段と、予め記録されたユーザの個人データを、個人データ取得手段により受信される相手の個人データと比較して、ユーザと通信相手との相性を診断する相性診断手段と、相性診断手段が、ユーザと通信相手との相性が良いと判断した場合、通知を行う通知手段とを設けている。この占いシステムでは、ユーザに操作部を用いて生年月日、血液型、性別、ニックネーム、嗜好、年収、居住地域、好きなタイプの異性等の個人データ登録を行わせる。
【０００５】
【特許文献１】
特開２００２−２２４４２５号公報（第４−６頁、図７）
【特許文献２】
特開２００２−３００２９６号公報（第５−７頁、図２）
【０００６】
【発明が解決しようとする課題】
上述した従来の占いシステムは、占い用のデータは利用者から入力されたものを使用する。従って、利用者にとってデータを入力する手間がかかるという問題点がある。
【０００７】
また、占いに使用するデータは利用者が入力したデータに限定されるため占いの精度が低いという問題点がある。
【０００８】
本発明の目的は、占い用のデータを利用者が入力する手間を不要とし、かつ占いの精度を向上させる占いシステムを提供することにある。
【０００９】
【課題を解決するための手段】
本発明の占いシステムは、端末装置に保存された電子データを読み取る手段と、前記電子データから前記端末装置使用者の性格を分析する手段と、分析結果を織り込んだ占い文を作成する手段とを備えたことを特徴とする。
【００１０】
本発明の占い装置は、端末装置に保存された電子データを読み取る手段と、読み取った前記電子データに含まれる言葉の頻度をリスト出力する手段と、前記端末装置の使用者の性格を前記リストから分析する手段と、分析結果を織り込んだ占い文を出力する手段とを備えたことを特徴とする。
【００１１】
本発明の占い装置は、前記端末装置から読み取った前記電子データと前記分析結果とを前記占い文出力後に削除することを特徴としてもよい。
【００１２】
本発明の占い装置は、端末装置に保存された電子データを読み取る手段と、読み取った前記電子データに含まれる言葉の頻度をリスト出力する手段と、複数の占い雛形文から選択した雛形文に前記電子データに含まれる頻度の高い言葉を挿入した占い文を出力する手段とを備えたことを特徴としてもよい。
【００１３】
本発明の占い装置は、前記電子データから前記端末装置の利用頻度を測定してグラフ表示する手段を備えたことを特徴としてもよい。
【００１４】
本発明の占い装置は、第１の端末装置に保存された第１の電子データと第２の端末装置に保存された第２の電子データとを読み取る手段と、前記第１の電子データと前記第２の電子データとから前記第１の端末装置を使用する第１の使用者と前記第２の端末装置を使用する第２の使用者との相性を分析する手段と、分析結果を織り込んだ占い文を作成する手段とを備えたことを特徴としてもよい。
【００１５】
本発明の占い装置は、第１の端末装置に保存された第１の電子データを読み取る手段と、読み取った前記第１の電子データに含まれる言葉の頻度をリスト出力する手段と、第２の端末装置に保存された第２の電子データを読み取る手段と、読み取った前記第２の電子データに含まれる言葉の頻度をリスト出力する手段と、前記第１の電子データと前記第２の電子データとから前記第１の端末装置を使用する第１の使用者と前記第２の端末装置を使用する第２の使用者との相性を分析する手段と、分析結果を織り込んだ占い文を出力する手段とを備えたことを特徴としてもよい。
【００１６】
本発明の占い装置は、前記第１の端末装置から読み取った前記第１の電子データと前記第２の端末装置から読み取った前記第２の電子データと前記分析結果とを前記占い文出力後に削除することを特徴としてもよい。
【００１７】
本発明の占い装置は、第１の端末装置に保存された第１の電子データを読み取る手段と、読み取った前記第１の電子データに含まれる言葉の頻度をリスト出力する手段と、第２の端末装置に保存された第２の電子データを読み取る手段と、読み取った前記第２の電子データに含まれる言葉の頻度をリスト出力する手段と、複数の占い雛形文から選択した雛形文に前記第１の電子データまたは前記第２の電子データに含まれる頻度の高い言葉を挿入した占い文を出力する手段とを備えたことを特徴としてもよい。
【００１８】
本発明の占い装置は、前記第１の端末装置の利用頻度と前記第２の端末装置の利用頻度とを測定してグラフ表示する手段を備えたことを特徴としてもよい。
【００１９】
本発明の占い方法は、端末装置に保存された電子データを読み取るステップと、前記電子データから前記端末装置使用者の性格を分析するステップと、分析結果を織り込んだ占い文を作成するステップとを備えたことを特徴とする。
【００２０】
本発明の占い方法は、端末装置に保存された電子データを読み取るステップと、読み取った前記電子データに含まれる言葉の頻度をリスト出力するステップと、前記端末装置の使用者の性格を前記リストから分析するステップと、分析結果を織り込んだ占い文を出力するステップとを備えたことを特徴としてもよい。
【００２１】
本発明の占い方法は、端末装置に保存された電子データを読み取るステップと、読み取った前記電子データに含まれる言葉の頻度をリスト出力するステップと、複数の占い雛形文から選択した雛形文に前記電子データに含まれる頻度の高い言葉を挿入した占い文を出力するステップとを備えたことを特徴としてもよい。
【００２２】
本発明の占い方法は、第１の端末装置に保存された第１の電子データと第２の端末装置に保存された第２の電子データとを読み取るステップと、前記第１の電子データと前記第２の電子データとから前記第１の端末装置を使用する第１の使用者と前記第２の端末装置を使用する第２の使用者との相性を分析するステップと、分析結果を織り込んだ占い文を作成するステップとを備えたことを特徴としてもよい。
【００２３】
本発明の占い方法は、第１の端末装置に保存された第１の電子データを読み取るステップと、読み取った前記第１の電子データに含まれる言葉の頻度をリスト出力するステップと、第２の端末装置に保存された第２の電子データを読み取るステップと、読み取った前記第２の電子データに含まれる言葉の頻度をリスト出力するステップと、前記第１の電子データと前記第２の電子データとから前記第１の端末装置を使用する第１の使用者と前記第２の端末装置を使用する第２の使用者との相性を分析するステップと、分析結果を織り込んだ占い文を出力するステップとを備えたことを特徴としてもよい。
【００２４】
本発明の占い方法は、第１の端末装置に保存された第１の電子データを読み取るステップと、読み取った前記第１の電子データに含まれる言葉の頻度をリスト出力するステップと、第２の端末装置に保存された第２の電子データを読み取るステップと、読み取った前記第２の電子データに含まれる言葉の頻度をリスト出力するステップと、複数の占い雛形文から選択した雛形文に前記第１の電子データまたは前記第２の電子データに含まれる頻度の高い言葉を挿入した占い文を出力するステップとを備えたことを特徴としてもよい。
【００２５】
本発明のプログラムは、請求項１１から１６のいずれか１項に記載の処理をコンピュータに実行させる。
【００２６】
【発明の実施の形態】
本発明の実施の形態について図面を参照して詳細に説明する。
【００２７】
最近の携帯電話機の普及は目覚しく、また提供される機能も充実され通話だけでなく、電子メールの送受信やウェブサイトにアクセスして待受け画面や着信メロディをダウンロードできるインターネット型携帯電話機も広く普及してきた。このような携帯電話機には単に電話番号を記載した電話帳だけでなく電子メールのアドレスやお気に入りのサイトのアドレスであるＵＲＬ（Ｕｎｉｆｏｒｍ  Ｒｅｓｏｕｒｃｅ  Ｌｏｃａｔｏｒ）を記録したブックマークなどが携帯電話機のメモリーに保存されている。また、電子メールでやりとりした受信メールや送信メールなども保存されている。これらデータはユーザ固有の情報であり長年使ってきた携帯電話機を新モデルに機種変更する際には、携帯電話機の販売店にて古い機種から新しい機種へこれらデータをコピーすることになる。また、パーソナルコンピュータを利用している一部ユーザは市販のコピーソフトを購入して自宅で携帯電話機に保存されてた電子データをパーソナルコンピュータに保存したり、編集したりしている。
【００２８】
これら携帯電話機に保存されている電子データに注目すると、機能が充実していることから多種多様の電子データを蓄積していることがわかる。下記はその一例である。
・電話帳（メモリダイヤル）
・フリーメモ、テキストメモ
・ｉモード（登録商標）メール
・自由定型文、自作定型文
・ブックマーク
・オリジナルイメージ、アルバム
・オリジナル着信音
・スケジュール、ＴｏＤｏ
・機能設定
・着信履歴、リダイヤル履歴
・受信アドレス履歴、送信アドレス履歴
携帯電話機はほとんど常に、利用者により文字通り携帯され、日常の生活の中で読み書きし、コミュニケーションする情報端末として利用されている為、利用者が無意識に使う言葉や話題の一部は携帯電話機に電子データとして記録されている場合が多い。さらに、電子メールをどのような頻度で利用するか？一番古い日付の受信メールは何日か？どのようなスケジュール情報を入力しているか？も知ることができる。またどのような機能を活用しているか？または全然活用していないか？どのような着信履歴やリダイヤル履歴を持っているかを知ることができる。そこでこれら電子データを携帯電話機から読み出して適切な分析を行うと利用者の携帯電話利用傾向や利用者が普段、気にしている話題やキーワードを知ることができ、利用者の性格をより良く知ることができる。また、分析結果から得られたキーワードを適切に利用すると、利用者に利用者の性格を良く見抜いていると思わせることができる。
【００２９】
図１は、本発明の第１の実施の形態の構成を示すブロック図である。注文者１が使用する携帯端末１０と、占い装置３０とを含む。携帯端末１０は、携帯電話機、ＰＨＳ（ｐｅｒｓｏｎａｌ  ｈａｎｄｙ  ｐｈｏｎｅ  ｓｙｓｔｅｍ）、ＰＤＡ（Ｐｅｒｓｏｎａｌ  Ｄｉｇｉｔａｌ  Ａｓｓｉｓｔａｎｔ）、ノート型パーソナルコンピュータ等である。占い装置３０はパーソナルコンピュータ等の情報処理装置である。占い装置３０は専用装置であってもよい。
【００３０】
図２は占い装置３０の外観図である。占い装置３０は、タッチパネル３１と携帯端末接続ケーブル３２と硬貨投入口３３とプリント用紙取り出し口３４とを含む。占い装置３０はさらに、その内部に、データを一時記憶するための記憶部３５と、占い結果等を印刷する印刷部３６と、占い装置３０内各部の制御を行う制御部３７とを含む。
【００３１】
タッチパネル３１は表示部と入力部とを兼ねたものである。携帯端末接続ケーブル３２は、接続ケーブルでなく、直結用コネクタや無線通信用受信部であってもよい。硬貨投入口３３は、硬貨を受け入れるものであり、紙幣を受け入れる機能があってもよく、会員カードやクレジットカード等のカード類を受け入れる機能があってもよい。プリント用紙取り出し口３４は、占い結果等を印刷した用紙を排出する。
【００３２】
次に、動作について説明する。図３は第１の実施の形態の動作を示すフローチャートである。
【００３３】
注文者１が占い装置３０の硬貨投入口３３に硬貨を投入する（ステップＡ１）と、占い装置３０はサービス画面を起動し、タッチパネル３１に操作手順を表示する（ステップＡ２）。
【００３４】
注文者１がタッチパネル３１の操作開始ボタンを押下する（ステップＡ３）と、占い装置３０は携帯端末１０を接続するようにタッチパネル３１に表示する（ステップＡ４）。
【００３５】
注文者１は自分の携帯端末１０を占い装置３０の携帯端末接続ケーブル３２に接続し、タッチパネル３１の接続確認ボタンを押下する（ステップＡ５）。
【００３６】
占い装置３０は携帯端末１０との通信を確立する（ステップＡ６）。携帯端末１０は占い装置３０との通信が確立すると内部メモリに保存している電子データを占い装置３０に送出する（ステップＡ７）。占い装置３０は携帯端末１０に格納されている各種電子データを読み取り、占い装置３０の記憶部３５に保存する（ステップＡ８）。
【００３７】
占い装置３０はデータ読み取り完了をタッチパネル３１に表示し（ステップＡ９）、格納された電子データを分析して、注文者１が普段よく使う言葉やよく遭遇する言葉の頻度や携帯端末１０の利用頻度などを測定する。占い装置３０は占いの概略と携帯端末１０の簡単な利用頻度をグラフにしてタッチパネル３１に表示する（ステップＡ１０）。図４は、ここで占い装置３０のタッチパネル３１に表示される画面の一例を示す図である。
【００３８】
注文者１がタッチパネル３１の確定ボタンを押す（ステップＡ１１）と、占い装置３０はさらに詳細な占い結果作成を実行する。占い装置３０はこれら分析結果のデータを元に所定の確率に従ってあらかじめ用意された複数の占い雛型文から一つを選択する。占い装置３０は選択された雛型文に注文者１が普段よく使う言葉やよく遭遇する言葉を適切に挿入し、注文者１固有の性格を予測した占い文を作成する（ステップＡ１２）。
【００３９】
次に、占い装置３０は完成した占い文および分析結果のグラフ表示を占い結果として印刷部３６でプリント出力して、プリント用紙取り出し口３４に排出する（ステップＡ１３）。図５と図６は、占い結果プリント出力の一例を示す図である。占い結果は、図５に示す内容を上部に図６に示す内容を下部にハガキ大のシール紙にプリントされる。
【００４０】
占い結果を出力した後、占い装置３０は携帯電話１０から読み取った電子データおよび電子的分析結果をただちに記憶部３５から完全削除して、注文者１のプライバシーが外部に漏れないようにする（ステップＡ１４）。
【００４１】
ステップＡ１２で分析結果のデータと占い雛型文とから占い文を作成する具体例を説明する。
【００４２】
雛型文は合計７４種類用意する。その中から一つを選択するロジックは、携帯電話の１１桁の電話番号を足し算してその合計値を雛型文型番号から選択する。すなわち、雛型文型番号は０８から８１までの合計７４個ある。携帯電話の電話番号は０９０９９９９９９９９から０８０００００００００までの範囲で広がっているので各桁の足し算は下記となる。
電話番号が０９０９９９９９９９９なら、足し算は８１
電話番号が０８０００００００００なら、足し算は０８
例えば携帯電話番号が０９０−２４６２−０９４８であれば、足し算は４４となるので、雛型文型番号４４を選択する。
【００４３】
雛型文の先頭パラグラフは携帯電話の活用度分析結果に基づいて解説する。例えばこんな感じにする。
「貴方の携帯利用頻度は人並み以上です。どちらかと言うと通話よりもメールを重視して活用されています。かなり頻繁にメールを受信していますが、送信メールはそれほど多くないようです。貴方のケータイには「○○○」から始まる言葉が平均点以上に存在します。あなたはマイナスをプラスに変える力があり、自分を変革しようと努力することができる人です。ブックマークの登録件数が平均以上にあり、興味のある分野には積極的に情報にアクセスしようとする意欲が感じられます。また、芸術や音楽に対する感度も高く、選りすぐりの待受け画面やチャクメロを収集しようとする傾向があります。」
次に、本発明の第２の実施の形態について説明する。図７は第２の実施の形態の構成を示すブロック図である。注文者Ａ１ａが使用する携帯端末Ａ１０ａと、注文者Ｂ１ｂが使用する携帯端末Ｂ１０ｂと、占い装置３０とを含む。第１の実施の形態と異なる点は、注文者が２人となる点であり、２人の注文者の相性を占う。占い装置３０の構成は、第１の実施の形態（図２）と同じである。
【００４４】
次に、第２の実施の形態の動作を説明する。図８は第２の実施の形態の動作を示すフローチャートである。
【００４５】
ステップＢ１からステップＢ９までは、第１の実施の形態のステップＡ１からＡ９までと基本的に同じであり、「注文者」と「携帯端末」が「注文者Ａ」と「携帯端末Ａ」に変わっている。また、ステップＢ３では、注文者Ａ１ａは２人用の占いを選択する。
【００４６】
占い端末３０は、ステップＢ９で携帯端末Ａ１０ａからの電子データ読み取り完了をタッチパネル３１に表示した後、次の硬貨投入を催促する画面をタッチパネル３１に表示する（ステップＢ１０）。
【００４７】
注文者Ｂ１ｂ（または注文者Ａ１ａ）は占い端末３０の硬貨投入口３３に追加硬貨を投入する（ステップＢ１１）。
【００４８】
ステップＢ１２からステップＢ１７までは、ステップＢ４からＢ９までと基本的に同じであり、「注文者Ａ」と「携帯端末Ａ」が「注文者Ｂ」と「携帯端末Ｂ」に変わっている。
【００４９】
占い装置３０はステップＢ１７でデータ読み取り完了をタッチパネル３１に表示した後、格納された電子データを分析して、注文者Ａ１ａと注文者Ｂ１ｂが普段よく使う言葉やよく遭遇する言葉の頻度や携帯端末Ａ１０ａと携帯端末Ｂ１０ｂの利用頻度などを測定する。占い装置３０は占いの概略と携帯端末Ａ１０ａと携帯端末Ｂ１０ｂの簡単な利用頻度をグラフにしてタッチパネル３１に表示する（ステップＢ１８）。
【００５０】
注文者Ｂ１ｂ（または注文者Ａ１ａ）がタッチパネル３１の確定ボタンを押す（ステップＢ１９）と、占い装置３０はさらに詳細な占い結果作成を実行する。占い装置３０は格納されたそれぞれの電子データの相関関係を分析して、これら分析結果のデータを元に所定の確率に従ってあらかじめ用意された複数の相性占い雛型文から１つを選択する。占い装置３０は選択された雛型文に注文者Ａ１ａや注文者Ｂ１ｂが普段よく使う言葉やよく遭遇する言葉を適切に雛型文に挿入し、２人の注文者固有の相性を予測した２人の相性占い文を作成する（ステップＢ２０）。
【００５１】
次に、占い装置３０は完成した２人の相性占い文および注文者Ａ１ａと注文者Ｂ１ｂの分析結果のグラフ表示を相性占い結果として印刷部３６で２枚プリント出力して、プリント用紙取り出し口３４に排出する（ステップＢ２１）。ここで出力される占い結果では、図５と図６で示した一例の「貴方のケータイの活用度分析結果」が「二人のケータイの活用度分析結果」に変わり、「占い結果」が「二人の占い結果」と変わる。
【００５２】
相性占い結果を出力した後、占い装置３０は携帯端末Ａ１０ａと携帯端末Ｂ１０ｂとから読み取った電子データおよび電子的分析結果をただちに記憶部３５から完全削除して、注文者Ａ１ａと注文者Ｂ１ｂのプライバシーが外部に漏れないようにする（ステップＢ２２）。
【００５３】
なお、本発明の占い装置３０の機能は第１および第２の実施の形態に限定されるものではない。例えば電話帳をプリント出力する機能を有することで、万一誤操作で電話帳情報が携帯電話から消失しても、プリントされた電話帳が保管できるので、電話帳バックアップシステムにも適用することができる。
【００５４】
第１および第２の実施の形態では、電子データの読み取り機能と分析機能と占い文作成機能と占い文印刷機能を１台の占い装置が有する例を説明したが、これらの機能すべてを単独の装置が有する必要はなく、機能は分散していてもよい。たとえば、占い装置が携帯端末から電子データを読み取り、読み取った電子データをインターネット経由で占いサーバに送信し、占いサーバが分析と占い文作成とを行い、占い文を占い装置が印刷出力する形態も取りうる。あるいは、占い文を電子メールで携帯端末に送信し、注文者が自宅のプリンタで印刷出力する形態も可能である。
【００５５】
本発明の第１または第２の実施の形態の占い３０の動作はコンピュータ・プログラム処理により行わせることが可能である。すなわち、記録媒体に記録したプログラムを占い装置３０に読み込ませるか、あるいは、ネットワークからコンピュータ・プログラムを占い装置３０に読み込ませて、第１または第２の実施の形態で説明した動作を実行させる。
【００５６】
【発明の効果】
以上説明したように、本発明によれば、注文者の携帯電話に保存されている電子データを分析することで、注文者の性格をある程度高い確率で予想することができるという効果がある。その為、単に生年月日や性別だけのデータだけで占っていた従来の占いシステムに比較して注文者に良く当たると認識させる効果もある。注文者が占い用の個人データ等を自分で入力する手間は必要としない。
【００５７】
また、利用頻度の高いキーワードを抽出し、それを適切に埋め込んだ占い文を作成するので単に紋切り型の占い文ではない、注文者だけに通用する魅力的な占い結果を提供できる効果がある。
【００５８】
さらに、注文者の携帯電話利用頻度をグラフで印刷して提示することができるので、注文者に携帯電話の客観的な利用傾向を具体的に提示できる効果がある。
【図面の簡単な説明】
【図１】第１の実施の形態の構成を示すブロック図である。
【図２】占い装置の外観図である。
【図３】第１の実施の形態の動作を示すフローチャートである。
【図４】占い装置のタッチパネルに表示される画面の一例を示す図である。
【図５】占い結果プリント出力の一例を示す図である。
【図６】占い結果プリント出力の一例を示す図である。
【図７】第２の実施の形態の構成を示すブロック図である。
【図８】第２の実施の形態の動作を示すフローチャートである。
【符号の説明】
１    注文者
１ａ    注文者Ａ
１ｂ    注文者Ｂ
１０    携帯端末
１０ａ    携帯端末Ａ
１０ｂ    携帯端末Ｂ
３０    占い装置
３１    タッチパネル
３２    携帯端末接続ケーブル
３３    硬貨投入口
３４    プリント用紙取り出し口
３５    記憶部
３６    印刷部
３７    制御部
【図１】
2004267252.tif 000003
【図２】
2004267252.tif 000004
【図３】
2004267252.tif 000005
【図４】
2004267252.tif 000006
【図５】
2004267252.tif 000007
【図６】
2004267252.tif 000008
【図７】
2004267252.tif 000009
【図８】
2004267252.tif 000010